(57)【特許請求の範囲】
【請求項１】
建物の下部にすべり支承体を設け、基礎上に設けられたすべり面により前記すべり支承体を介して前記建物をすべり可能に支持するすべり支承装置において、前記すべり面を覆うために使用されるすべり支承用カバーであって、
前記すべり面への水やほこりの侵入を防ぐために該すべり面を覆うようなシート状を成すとともに前記すべり支承体の周囲と密着嵌合する開口が形成され、該シートの裏面を突起付き面にすることで前記すべり面とは突起点で略点接触し、該シートには前記開口から周縁に至る切れ目が形成されていることを特徴とするすべり支承用カバー。
【請求項２】
前記シートの裏面の突起付き面は多数の突起を有する面であることを特徴とする請求項１に記載のすべり支承用カバー。
【請求項３】
前記シートの裏面の突起付き面は凹凸面であることを特徴とする請求項１に記載のすべり支承用カバー。
【請求項４】
前記シートの材質は透水性のない発泡ウレタン等の軽量な材質であることを特徴とする請求項１〜３のいずれかに記載のすべり支承用カバー。
【請求項５】
前記シートの前記開口から周縁に至る切れ目を略対向する２箇所に形成することにより、該シートを２分割できるようにすることを特徴とする請求項１〜４のいずれかに記載のすべり支承用カバー。
【発明の詳細な説明】
【０００１】
【発明の属する技術分野】
本発明は、建物の下部にすべり支承体を設け、基礎上に設けられたすべり面により前記すべり支承体を介して前記建物をすべり可能に支持するすべり支承装置において、前記すべり面を覆うために使用されるすべり支承用カバーに関する。
【０００２】
【従来の技術】
建築物においては、地震や振動による変位を吸収することにより建物に伝達される振動を軽減する免震支持装置の一つとして、すべり支承装置を用いることが行なわれている。このすべり支承装置は、建物の下部にすべり支承体を設け、基礎上に設けられたすべり面により前記すべり支承体を介して前記建物をすべり可能に支持するように構成されている。また、このすべり支承装置は、例えば積層ゴム支承装置など、水平方向に弾性変位可能な免震支持装置とともに使用されることがある。このような建築用のすべり支承装置においては、摩擦係数を一定に保つために、すべり面に水や埃が付着することを極力防ぐ必要があり、そのために、防水防塵用のカバー（すべり支承用カバー）を装着することが行なわれている。
【０００３】
【発明が解決しようとする課題】
しかしながら、従来のすべり支承用カバーにあっては、すべり支承装置のほぼ全体を外側からシートで覆ってしまうように構成されているので、すべり面をシートで覆うための施工が大がかりになり、建物の取り合いにより適正に取り付けられないことがあり、メインテナンス時にカバーを取り外すための作業に多大の手間を要するなどの技術的課題があった。さらに、湿気が侵入してすべり面に結露が生じた場合に湿気が逃げにくいという課題もあった。
【０００４】
本発明はこのような技術的課題に鑑みてなされたものであり、本発明の目的は、すべり支承装置に対する取り付け取外しが簡単で取扱い性にすぐれ、密封性を確保しながらすべり面上の通気性を維持することで結露しても水分を容易に逃がすことができ、カバーをめくるだけで支承装置のメイテナンスを簡単に行うことができるすべり支承用カバーを提供することである。
【０００５】
【課題を解決するための手段】
本発明は、上記目的を達成するため、建物の下部にすべり支承体を設け、基礎上に設けられたすべり面により前記すべり支承体を介して前記建物をすべり可能に支持するすべり支承装置において、前記すべり面を覆うために使用されるすべり支承用カバーであって、前記すべり面への水やほこりの侵入を防ぐために該すべり面を覆うようなシート状を成すとともに前記すべり支承体の周囲と密着嵌合する開口が形成され、該シートの裏面を突起付き面にすることで前記すべり面とは突起点で略点接触し、該シートには前記開口から周縁に至る切れ目が形成されていることを特徴とする。
【０００６】
請求項２〜５の発明は、上記構成に加えて、前記シートの裏面の突起付き面は多数の突起を有する面である構成、前記シートの裏面の突起付き面は凹凸面である構成、前記シートの材質は透水性のない発泡ウレタン等の軽量な材質である構成、あるいは、前記シートの前記開口から周縁に至る切れ目を略対向する２箇所に形成することにより、該シートを２分割できるようにする構成とすることにより、上記目的を達成するものである。
【０００７】
【発明の実施の形態】
以下図面を参照して本発明の実施の形態を説明する。図１は本発明を適用したすべり支承用カバーを有するすべり支承装置を使用した建物を模式的に示す立面図であり、図２は図１中のすべり支承装置を示す縦断面図である。図１において、建物１０は床下に設置された複数のすべり支承装置２０及び複数の積層ゴム支承装置３０によって免震支持されている。図示の例では、床下は建物１０の床面１１と地中に構築された基礎１２の上面との間に形成されており、各すべり支承装置２０は建物の柱１３の下端部と前記基礎１２との間に構成されている。なお、符号１４は地面を例示する。
【０００８】
前記積層ゴム支承装置３０は、円柱状の積層ゴム部３１の上下端面にフランジ部材３２、３３を一体的に固着状態で接合して構成されており、前記積層ゴム部３１はゴム層と金属や硬質プラスチック板などの補強板とを交互に一体的に積層した構造を有する。図示の例では、前記積層ゴム支承装置３０は、上下のフランジ部材３２、３３を建物１０の柱１３及び基礎１２に対してボルト・ナット等で締結することにより、建物１０を免震支持する状態で取り付けられている。このような積層ゴム支承装置３０は、縦方向には高いばね定数を有し、横方向（水平方向）には低いばね定数を有しており、通常、その縦横ばね定数比は８００以上という大きな値となる。このような積層ゴム支承装置は、例えば、特開昭６０−２６１８４５号公報、特開昭６１−１４３４０号公報、特開昭６４−４８９５０号公報などに開示されている。
【０００９】
図２において、各すべり支承装置２０は、建物１０の柱１３の下端部に設けられたすべり支承体２１を基礎１２上に設けられたすべり面２２上に水平方向にすべり（摺動）可能に支持する構成を有している。図示の例では、基礎１２の上面に平板状部材２３を固定し、該平板状部材２３の平滑な上面を低摩擦面に仕上げることにより前記すべり面２２が形成されている。このすべり面２２を形成する前記平板部材２３の材質としては、金属や焼結合金やＰＴＦＥ樹脂などが使用され、平滑性に優れ、かつ耐磨耗性もある低摩擦係数の材料が好ましい。一方、前記すべり支承体２１のすべり面（端面部材）としても、前記平板状部材２３と同様の材質であってすべり面２２との組合せにより適度な摩擦係数を得られるものが使用される。
【００１０】
前記すべり支承装置２０においては、すべり特性（免震特性）を一定に保つためには、すべり面２２に水分やほこりが付着して摩擦係数が変化することを極力防止することが要請され、その目的のため、図２に示すように、すべり面２２を覆うためのすべり支承用カバー２４が装着されている。図３は図２中のすべり支承用カバーの上面を示す斜視図であり、図４は図３のすべり支承用カバーの裏面を示す斜視図である。図２〜４において、前記すべり支承用カバー２４は、前記すべり面２２への水やほこりの侵入を防ぐために該すべり面２２を覆うようなシート状を成しており、該すべり支承用カバー２４の内部（略中央部）には、建物１０側の前記すべり支承体２１の周囲と防水防塵性を確保できるように密着嵌合する開口２５が形成されている。また、このすべり支承用カバー２４の外形は、すべり面２２の外形よりやや大きくされており、その形状はすべり面２２の形状を考慮して四角や円形など所望の形状にされる。
【００１１】
また、前記すべり支承用カバー２４のシート裏面（前記すべり面２２側のシート内面）は、多数の突起２６が形成された突起付き面にされており、使用時には前記すべり面２２とは突起点（突起２６の頂点）で略点接触状態で接触するように構成されている。そのため、図１及び図２の使用状態（すべり面を覆った状態）でも、すべり面２２との間の点接触により、該すべり面２２との間に通気性を確保することができ、例えば内部の湿気等によりすべり面２２上で結露が生じたとしても、水分を容易に逃がすことができ、前記結露を容易に確実に解消することができる。
【００１２】
さらに、前記すべり支承用カバー（シート）２４には、前記開口２５から所望の周縁（図示の略四角形状の場合は所望の辺の端縁）に至る切れ目２７が形成されている。この切れ目２７は、建物１０のすべり支承装置２０に対して、すべり支承体２１がすべり面２２に当接したそのままの状態で、すべり支承用カバー２４を簡単かつ容易に取り付け取外しすることができ、保守点検時の作業性及び取扱い性を向上させるためのものである。つまり、図１及び図２の状態でも、すべり支承用カバー２４は前記切れ目２７を利用して簡単に取り付けたり取り外したりすることができる。前記切れ目２７は、単なる分離面であり、使用時には防水防塵性を確保するため相対する端面が密着したままになるように形成されている。
【００１３】
前記すべり支承用カバー２４は、ゴム状弾性材や軟質プラスチックなど種々の材質で形成できるが、特に、透水性のない発泡ウレタン等の軽量な材質のシート状部材で構成することが好ましい。また、前記すべり支承用カバー２４の裏面（突起付き面）は、図示のような多数の突起を有する面で形成する他、凹凸面で形成してもよい。さらに、前記切れ目２７は、図示のように開口２５から端縁へ１本だけ形成する他、前記シート２４の開口２５から周縁に至る切れ目を略対向する２箇所に形成することにより、該シート（すべり支承用カバー）を完全に２分割できるように構成してもよい。ただし、この場合は、すべり支承装置２０に装着（組付け）する際に分割面（切れ目）２７の全体が密着して防塵防水性を確保できるように構成される。
【００１４】
以上説明した実施例によれば、建物１０の下部にすべり支承体２１を設け、基礎１２上に設けられたすべり面２２により前記すべり支承体を介して前記建物をすべり可能に免震支持するすべり支承装置２０において、前記すべり面を覆うために使用されるすべり支承用カバー２４であって、前記すべり面２２への水やほこりの侵入を防ぐために該すべり面を覆うようなシート状を成すとともに前記すべり支承体２１の周囲と密着嵌合する開口２５が形成され、該シート２４の裏面を突起２６付き面にすることで前記すべり面２２とは突起点で略点接触し、該シート２４には前記開口２５から周縁に至る切れ目２７が形成されている構成としたので、すべり支承装置２０に対する取り付け取外しが簡単で取扱い性にすぐれ、密封性を確保しながらすべり面２２上の通気性を維持することで結露しても水分を容易に逃がすことができ、カバー２４をめくるだけで支承装置２０のメイテナンスを簡単に行うことができるすべり支承用カバー２４が提供される。
【００１５】
このようなすべり支承用カバー２４においては、前記シートの裏面の突起付き面は多数の突起２６を有する面である構成、前記シートの裏面の突起付き面は凹凸面である構成、前記シートの材質は透水性のない発泡ウレタン等の軽量な材質である構成、あるいは、前記シートの前記開口２５から周縁に至る切れ目２７を略対向する２箇所に形成することにより、該シートを２分割できるようにする構成とすることで、さらに効率よく上記効果を達成することができる。
【００１６】
【発明の効果】
以上の説明から明らかなごとく、本発明（請求項１）によれば、建物の下部にすべり支承体を設け、基礎上に設けられたすべり面により前記すべり支承体を介して前記建物をすべり可能に支持するすべり支承装置において、前記すべり面を覆うために使用されるすべり支承用カバーであって、前記すべり面への水やほこりの侵入を防ぐために該すべり面を覆うようなシート状を成すとともに前記すべり支承体の周囲と密着嵌合する開口が形成され、該シートの裏面を突起付き面にすることで前記すべり面とは突起点で略点接触し、該シートには前記開口から周縁に至る切れ目が形成されている構成としたので、すべり支承装置に対する取り付け取外しが簡単で取扱い性にすぐれ、密封性を確保しながらすべり面上の通気性を維持することで結露しても水分を容易に逃がすことができ、カバーをめくるだけで支承装置のメイテナンスを簡単に行うことができるすべり支承用カバーが提供される。
【００１７】
請求項２〜５の発明によれば、上記請求項１の構成に加えて、前記シートの裏面の突起付き面は多数の突起を有する面である構成、前記シートの裏面の突起付き面は凹凸面である構成、前記シートの材質は透水性のない発泡ウレタン等の軽量な材質である構成、あるいは、前記シートの前記開口から周縁に至る切れ目を略対向する２箇所に形成することにより、該シートを２分割できるようにする構成としたので、一層効率よく上記効果を達成することができる。
【図面の簡単な説明】
【図１】本発明を適用したすべり支承用カバーを有するすべり支承装置を使用した建物を模式的に示す立面図である。
【図２】図１中のすべり支承装置を示す縦断面図である。
【図３】図２中のすべり支承用カバーの上面を示す斜視図である。
【図４】図３のすべり支承用カバーの裏面を示す斜視図である。
【符号の説明】
１０      建物
１１      床面
１２      基礎
１３      建物の柱
１４      地面
２０      すべり支承装置
２１      すべり支承体
２２      すべり面
２３      平板状部材
２４      すべり支承用カバー
２５      開口
２６      突起
２７      切れ目
３０      積層ゴム支承装置
【図１】
0004308377.tif 000002
【図２】
0004308377.tif 000003
【図３】
0004308377.tif 000004
【図４】
0004308377.tif 000005